Podtech/llm-jp-corpus-v4-ja_patent huggingface dataset:
(57)【要約】      （修正有）【課題】簡単・廉価且つ粘着材で簡単に貼り付け可能な空気抜き器を袋の外側に貼り付け袋内空気の抜き出しを容易にし袋内の減圧を保つ。【解決手段】家庭で使用するゴミ袋あるいは食品保存・保管等用合成樹脂製袋に空気抜き器を簡単に袋外側に貼り付け空気抜き道を作り袋内の空気を抜いた後  逆流防止（指で挟む・押さえるなどした後クリップ止め・結び止め・栓でとめる）することができるようにした構造・形状の合成樹脂製袋空気抜き器。【選択図】図−１
0003109699.tif 000002
【実用新案登録請求の範囲】
【請求項１】
家庭で使用するゴミ袋あるいは食品保存・保管用等合成樹脂製袋内の空気抜き（減圧）を目的として図−１  図−２に示すような空気抜き器を合成樹脂製袋外側に貼り付け  袋内の空気抜き（減圧）ができ且つ空気の逆流をクリップ・結び目・栓などで止めることにより袋内の減圧状態を保たせることができる袋空気抜き器
袋空気抜き器の材質は比較的軟らかい合成樹脂製で接着面には予め粘着材等付としその保護紙から構成されたことを特徴とする
【請求項２】
図−１  図−２は円形状の例を示すが平形・角形状も含む
【考案の詳細な説明】
【技術分野】
【０００１】本発明は家庭で使用するゴミ袋あるいは食品保存・保管用等合成樹脂製袋内の空気抜き（減圧）を容易にし且つ空気の逆流をさせない（袋内の減圧状態を保つことができる）袋空気抜き器
［技術背景］
家庭で使用するゴミ袋あるいは食品保存・保管用合成樹脂製袋に物を入れた後  袋内の空気を抜く簡単・安価な空気抜き器はなっかた。
［考案の開示］
［考案が解決しようとする課題］【０００２】家庭で使用するゴミ袋あるいは食品保存・保管等用合成樹脂製袋に物を入れた後袋内の空気を抜く（減圧）場合、袋全体を手で押すなどして空気抜きし（減圧）あわてて物出し入れ口部を塞でいたが十分な空気抜き（減圧）ができない場合が多かった。
このため袋全体がかさばる・入れた物がよく冷えない・腐りやすいなどの不便があった。
［課題を解決するための手段］【０００３】家庭で使用するゴミ袋あるいは食品保存・保管等用合成樹脂製袋に図−１に示すような空気抜き器を簡単に袋外側に貼り付け空気抜き道を作り袋内の空気を抜いた後  逆流防止（指で挟む・押さえるなどした後クリップ止め・結び止め・栓等でとめる）することができるようにした構造・形状の合成樹脂製  袋空気抜き器
【図面の簡単な説明】
【０００４】図−１は本案の空気抜き取り器の側断面図
図−２は丸型形状例の正面図
【図−１】
0003109699.tif 000003
【図−２】
0003109699.tif 000004
【手続補正書】
【提出日】平成16年3月4日(2004.3.4)
【手続補正１】
【補正対象書類名】実用新案登録請求の範囲
【補正対象項目名】請求項１
【補正方法】変更
【補正の内容】
【請求項１】
比較的やわらかな合成樹脂で作られたラッパ形状のラッパ部に予め粘着材等で袋に貼り付け易くし、袋内の空気を容易に吸い出し且つ逆流防止できる構造とした袋空気抜き器
【手続補正２】
【補正対象書類名】実用新案登録請求の範囲
【補正対象項目名】請求項２
【補正方法】変更
【補正の内容】
【請求項２】
低部の広がった帯状袋の底部片側に空気抜き穴を設け、穴周囲に粘着材等で袋に貼り付け易くし、袋内の空気を容易に吸い出し且つ逆流防止できる構造とした袋空気抜き器
【手続補正３】
【補正対象書類名】明細書
【補正対象項目名】全文
【補正方法】変更
【補正の内容】
【考案の詳細な説明】
【技術分野】
【０００１】本発明は家庭で使用する合成樹脂製袋内の空気を容易に吸い出し、且つ逆流させない構造の空気抜き器
［技術背景］【０００２】家庭で使用する合成樹脂製で物を入れた後  袋内の空気を容易に抜くことは難しかった。
［考案の開示］
［考案が解決しようとする課題］【０００３】家庭で使用するゴミ袋あるいは食品等保存・保管用合成樹脂製袋において物を入れた後袋内の空気を抜く場合  袋全体を手で押すなどして空気抜きし  あわてて出し入れ口を塞いでいたが十分に空気抜きが出来ない場合が多かった。
このため袋全体がかさばる・冷えにくい・湿気を呼ぶなどの不便があった。
［課題を解決するための手段］【０００４】家庭で使用するゴミ袋あるいは食品等保存・保管用合成樹脂製袋に予め粘着材等で袋に貼り易くした図−１・図−２に示すような空気抜き器を袋に貼り付け袋内の空気を吸い出し、クリップ止め・栓などで逆流防止を施すことにより袋内の減圧状態を保つことのできるようにした袋空気抜き器
【図面の簡単な説明】
【０００５】図−１は本案のラッパ形状空気抜き器の構造例を示す．
図−２は本案の横笛形状空気抜き器の構造例を示す。
【手続補正４】
【補正対象書類名】図面
【補正対象項目名】全図
【補正方法】変更
【補正の内容】
【図−１】
0003109699.tif 000005
【図−２】
0003109699.tif 000006
【手続補正書】
【提出日】平成16年7月29日(2004.7.29)
【手続補正１】
【補正対象書類名】実用新案登録請求の範囲
【補正対象項目名】全文
【補正方法】変更
【補正の内容】
【実用新案登録請求の範囲】
【請求項１】
比較的やわらかい合成樹脂で作られた管の一端をラッパ形状にし、そのラッパ形状の内側外周囲部に予め粘着材等を具備した管。
【請求項２】
比較的やわらかい合成樹脂で作られた帯状・小袋の底部近くの片側面に予め粘着材等を具備し、かつ粘着材部の中央付近に小穴を設けた帯状の子袋。
【手続補正書】
【提出日】平成16年12月3日(2004.12.3)
【手続補正１】
【補正対象書類名】実用新案登録請求の範囲
【補正対象項目名】全文
【補正方法】変更
【補正の内容】
「書類名」    実用新案登録請求の範囲
「請求項１」
比較的やわらかい合成樹脂で作られた管の一端をラッパ形状にし、そのラッパ形状の内側外周囲部に予め粘着材等を具備した管。
(57)【要約】      （修正有）【課題】アクリル毛糸で編み込んだものより短時間に簡単にでき、編んだものと同等品であること。【解決手段】アクリル毛糸のふさの部分を輪のままにする。このため、筒状のものにアクリル毛糸を数十回ぐるぐると巻いて、それを筒からぬいて束ねたものを二セット合わせてその中心を十字にしっかり束ねてさらに四つに分かれたふさの根元の部分を巻きます。しっかりと中心を止めることで毛糸のふさが花状になります。【選択図】なし【実用新案登録請求の範囲】
【請求項１】
本物品はアクリル毛糸をぐるぐると輪に巻いたものの中心を十字にしっかり束ねることで毛糸のふさで花形ができる形状のものです。
【請求項２】
本物品はアクリル毛糸をぐるぐると輪に巻いたものの中心を十字にしっかり束ねて花形ができたものに長い棒がついた形状のものです。
【請求項３】
本物品はアクリル毛糸をぐるぐると輪に巻いたものの中心を十字にしっかり束ねるとふさが四つにわかれます。さらに四つにわかれたふさの根元の部分をしっかり止めるとふさが花形になる形状のものです。
【考案の詳細な説明】
【考案の詳細な説明】
本物品は筒状のものにアクリル毛糸を数十回ぐるぐると巻いて、それを筒からぬいて束ねたものを二セット合わせてその中心を十字にしっかり束ねてさらに四つに分かれたふさの根元の部分を巻きます。しっかりと中心を止めることで毛糸のふさが花状になります。
【図面の簡単な説明】
【図１】請求項１の斜視図である。
【図２】請求項２の斜視図である。
【図３】請求項１の斜視図である。
【符号の説明】
１．中心部十字        ４．棒
２．ふさ部分          ５．ふさの根元
３．吊りひも
【図１】
0003109700.tif 000002
【図２】
0003109700.tif 000003
【図３】
0003109700.tif 000004
【手続補正書】
【提出日】平成16年6月24日(2004.6.24)
【手続補正１】
【補正対象書類名】実用新案登録請求の範囲
【補正対象項目名】全文
【補正方法】変更
【補正の内容】
【実用新案登録請求の範囲】
【請求項１】
本物品はアクリル毛糸をぐるぐると数十回輪に巻いたものを組み合わせて中心を十字にしっかり束ねて毛糸のふさで丸く花形ができる形状のたわしです。
【請求項２】
本物品はアクリル毛糸をぐるぐると数十回輪に巻いたものの中心を束ね丸く花形にして長い棒の先端に固定させた形状のたわしです。
【請求項３】
本物品はアクリル毛糸をぐるぐると数十回輪に巻いたものを組み合わせて中心を十字に束ねさらに十字の根元を巻いて丸く花形にしてふさの先を切り揃えた形状のたわしです。
【手続補正３】
【補正対象書類名】図面
【補正対象項目名】全図
【補正方法】変更
【補正の内容】
【図１】
0003109700.tif 000005
【図２】
0003109700.tif 000006
【図３】
0003109700.tif 000007
(57)【要約】      （修正有）【課題】注油管収納後の油垂れ防止と注油量の軽量が出来るカップつき注油管を提供する。【解決手段】注油管の一端を、容器の注ぎ口につなぐことができ、もう一端の管面には出っ張りが設けられ、さらに目盛のあるカップがあり、カップの頚部に頚口部が設けられており、注油管の一端をカップに入れると、出っ張りが頚口部を通った後に、頚口部の後方に引っかかり、注油管の末端がカップ底面に当たるため、カップで正確に必要な油の量を計量することができ、注油管を容器に固定すると、カップが注油管に收納され、收納後の注油管管内にこびりついた油をカップの中に流して集めることができる。【選択図】図２
0003109658.tif 000002
【実用新案登録請求の範囲】
【請求項１】
伸縮する注油管の両端がそれぞれ接続側及び注出側になっており、注油管の注出側の管面上に出っ張りが設けられ、また注油管の注出側に挿入することができるカップが設けられ、同時にカップの頚部の箇所に頚口部が設けられ、頚口部内径が出っ張りの外径よりもやや小さくなっている点で改良されているカップつき注油管。
【請求項２】
実用新案請求の範囲の請求項１で述べたカップつき注油管のうち、カップが注油管に嵌め込まれている時、注油管の注出側の末端がちょうどカップの底面になるもの。
【請求項３】
実用新案請求の範囲の請求項１で述べたカップつき注油管のうち、カップ頚部が次第に縮小しているもの。
【考案の詳細な説明】
【技術分野】
【０００１】
本考案は、盛って量り、簡単に收納するための、末端にいつでも取り外して使うことができるカップを嵌め込み固定した注油管に関する。
【背景技術】
【０００２】
従来の油を盛る容器には、石油をオイルタンク内に入れ、注油管を逆に挿入してオイルタンクの中に内蔵して收納し、使用する際に、注油管を抜き出してオイルタンクの注ぎ口につなぐだけで、オイルタンク内の石油を注ぎ出すことができ、注油管に沿って、機具のオイルタンク内に入れられる携帯式オイルタンクや（例えば、実願平１０−３５５及び実願平９−１０３５１）、注油管がオイルタンク外側のクリップに固定され、いつでも注油管を取り外してオイルタンクの注ぎ口で引っ張り、同時にオイルタンク内の石油を注油管に沿って注ぎ出すことができる携帯式オイルタンクがある（例えば、意願２００３−１６７９２）。
【特許文献１】実願平１０−３５５
【特許文献２】実願平９−１０３５１
【特許文献３】意願２００３−１６７９２
【考案の開示】
【考案が解決しようとする課題】
【０００３】
しかし、前述の内蔵式の注油管は収納に便利で、場所をとらないが、注油管を石油の中にびしょびしょに浸しておくため、注油管を取り出す際に、あちこちに油が垂れるという現象が発生する。
【０００４】
また、前述の注油管をオイルタンク外に固定する構造では、管の外側には石油がつかないが、注油の使用が終わった後、管内に石油が付着しているため、注油管を收納した後、管内の石油が流れ出てしまい、油汚れが環境を汚染することがよく発生する。
【０００５】
次に、オイルタンクから注ぎ出される石油の油量を正確にしようとしても、上述の構造では、いずれも無理であり、経験によって判断するしかない。
【課題を解決するための手段】
【０００６】
そのため、上述の注油管收納後の油垂れ防止と注油量の計量などの問題を改善するため、本考案では、注油管の注出側の管面上に出っ張りを設け、目盛のあるカップをつけ、カップの次第に縮小した頚部に頚口部を設け、注油管の注出側をカップに伸ばす際に、その出っ張りが頚口部を通って頚口部の後方に引っ掛かり、固定される。
【０００７】
また、前述のカップを注油管の注出側に固定する際に、注油管の末端は、ちょうどカップの底面に当たる。
【考案の効果】
【０００８】
そのため、カップは、いつでも取り外すことができ、收納に便利なだけでなく、注油量を正確に求める場合のために、ちょうどよい計量具の容器が提供されている。
【０００９】
次に、カップは注油管の末端に固定されており、ちょうど注油管の管内にこびりついた油を、カップの中に流して集めることができ、管内に残った油が外に流れて環境を汚染することを防ぐことができる。
【考案を実施するための最良の形態】
【００１０】
図１に示すように、石油を入れるオイルタンク１に注ぎ口１１を提供し、注ぎ口１１にキャップ１２をねじ込んで蓋をし、オイルタンク１の頂面の片側に注油管２を收納できる窪んだ空間を設け、その上に弾性クリップ１３を設け、注油管２を収縮させ収納した後、クリップ１３をはめ込み、固定することができる。
【００１１】
また、図２に示すように、注油管２の両端が、それぞれ接続側２１及び注出側２２になっており、注出側２２の管面上に出っ張り２３が設けられており、また容量の目盛のあるカップ３が設けられ、カップ３の注ぎ口から頚部のカップ口部３１のところは、次第に縮小した設計をしており、頚口部３２の内径は注油管２の出っ張り２３の外径よりもやや小さくなっている。
【００１２】
そのため、オイルタンク１内の油を注ぎ出す際に、カップ３の注油管２を取り外し、注油管２の接続側２１をオイルタンク１の注ぎ口１１につなぐだけで、オイルタンク１内の油を注油管２に沿って目的の場所に注ぎ出すことができ、また正確な油量を取りたい場合に、カップ３がちょうどいい計量の工具となる。逆に、注油管２を使用せず、容器に固定している時に、注油管２の注出側２２がカップ３内に伸び、その出っ張り２３が頚口部３２を通った後、頚口部３２の後方に引っかかり固定され、カップ３を注油管２に收納する。
【００１３】
そのため、カップ３は、取る油の量を盛る工具としてだけではなく、良好な收納効果も提供し、カップ３を注油管２の末端に固定する際に、ちょうど注油管２の管内にこびりついた油を、カップ３の中に流し込んで集めることができ、管内に残った油が外に流れて、環境を汚染するのを防止することができる。
【図面の簡単な説明】
【００１４】
【図１】本考案の組立見取図。
【図２】本考案の注油管とカップの間の分解見取図。
【図３】本考案の注油管とカップの間の組立断面図。
【符号の説明】
【００１５】
１オイルタンク
１１注ぎ口
１２キャップ
１３クリップ
２注油管
２１接続側
２２注出側
２３出っ張り
３カップ
３１カップ口部
３２頚口部
【図１】
0003109658.tif 000003
【図２】
0003109658.tif 000004
【図３】
0003109658.tif 000005
(57)【要約】【課題】ストッキングをはいた状態が一見して確認できるストッキングのパッケージを提供すること。【解決手段】パッケージ１０の一面に人体の脚の側面を模した孔部２０を設け、中に収納したストッキングがその孔部２０の位置に配置されるようにすることにより、ストッキングを脚にはいた状態がパッケージを一見しただけで分かるようにした。パッケージ１０は厚紙等で作られ、表面側に、人体の脚の側面を模した孔部２０があり、この孔部２０に隣接して履物６０の図が印刷されており、さらに、孔部２０を幅方向に渡る条片５０がある。パッケージの面そのものを利用するという簡明な手段により、ストッキングを実際にはいたときに、どのように見えるかを購入者の視覚に訴えることができる。【選択図】  図１
0003109667.tif 000002
【実用新案登録請求の範囲】
【請求項１】
パッケージの一面に人体の脚の側面を模した孔部が設けられ、中に収納されたストッキングがその孔部に配置されるようにすることにより、ストッキングを脚にはいた状態が分かるようにしたことを特徴とする、ストッキングのパッケージ。
【請求項２】
前記孔部に隣接して履物の図が印刷された、請求項１のストッキングのパッケージ。
【請求項３】
前記孔部を幅方向に渡る条片を有する、請求項１のストッキングのパッケージ。
【考案の詳細な説明】
【技術分野】
【０００１】
本考案は、ストッキング（ソックスを含む。）のパッケージの技術分野に属する。
【背景技術】
【０００２】
ストッキングの展示・販売に際して用いられるパッケージは、通常、中の商品が見えるようにはなっていないので、購入者がストッキングを実際にはいたときに、どのように見えるかは、想像するしかない。
【０００３】
そこで、外装の一部や全体に透明フィルム等を用いて、ストッキングを外から見える状態にしたり、ストッキングを装着した写真をパッケージに載せることが考えられる。
特許文献１はその一例で、ストッキングを巻装するための台紙に文字、図形等の印刷を施し、その文字、図形等が透明な外袋を介して透視できるようにしたものである。
【特許文献１】実開平６−５４５８２号公報
【考案の開示】
【考案が解決しようとする課題】
【０００４】
しかし、パッケージの面そのものを利用するという簡明な手段により、ストッキングを実際にはいたときに、どのように見えるかを購入者の視覚に訴えるようにしたものは、従来なかった。
【課題を解決するための手段】
【０００５】
本考案は、パッケージに人体の脚の側面を模した孔部が設けられ、中に収納されたストッキングがその孔部に配置されるようにすることにより、ストッキングを脚にはいた状態が分かるようにしたストッキングのパッケージにより前記課題を解決した。
【考案の効果】
【０００６】
本考案は、パッケージの面そのものを利用してそこに人体の脚の側面を模した孔部を設け、中に収納されたストッキングがその孔部に配置されるようにしたので、パッケージの面そのものにより、ストッキングを脚にはいた状態が一見して分かるという効果がある。
【考案を実施するための最良の形態】
【０００７】
図１は、本考案のストッキングのパッケージ（以下、単に「パッケージ」という。）１０の展開図である。
図２は、ストッキングの収納方法を示し、図２（ａ）は台紙４０への装着方法、図２（ｂ）はストッキングを装着した台紙４０をパッケージ１０に入れようとしている状態の斜視図である。
【０００８】
パッケージ１０は厚紙等で作られ、表面側に、人体の脚の側面を模した孔部２０が設けられている。符号６０は、この孔部２０に隣接して描かれた履物の図柄である。
パッケージ１０の背面には、縦方向に長い楕円の孔部３０が設けられている。
孔部２０を渡る条片５０が２箇所に設けられていて、よりお洒落な感覚を演出するとともに、中のストッキングの盗難を防いでいる。
背面の孔部３０で、一足のうちの他方のストッキングの違う箇所を見ることができるようにしている。
【０００９】
次に、このパッケージ１０の使用方法について説明する。
ストッキングを収納するには台紙４０が用いられる。
台紙４０の一方の脚部４２に、片方のストッキングを折曲げて装着し、他方のストッキングをもう一方の脚部４４にはめる。
このように、ストッキングを装着した台紙４０をパッケージ１０に収納する。
台紙４０に装着したストッキングが、パッケージ１０の正面の孔部２０と条片５０、及び図柄６０に適合するように収納する（図３（ａ）参照）。
背面の孔部３０からは、他方のストッキングが見えるようになっている。
【００１０】
本考案によれば、図柄６０を変更したり、条片５０の形や位置を異なるものにして、バリエーションを高めることができる。
【００１１】
本考案のパッケージには、標準的には、台紙４０の２つの脚部、４２、４４を利用して、一足のストッキングが収納される。
【図面の簡単な説明】
【００１２】
【図１】本考案のパッケージの展開図。
【図２】ストッキングをパッケージへ収納する方法を示し、図２（ａ）は台紙への装着方法を示す図、図２（ｂ）はパッケージに入れようとしている状態の斜視図。
【図３】ストッキングを収納したパッケージを示し、図３（ａ）はパッケージに収納した状態の正面図、図３（ｂ）は背面図。
【符号の説明】
【００１３】
１０：ストッキングのパッケージ
２０：孔部
３０：（背面）孔部
４０：台紙
５０：条片
６０：図柄
【図１】
0003109667.tif 000003
【図２】
0003109667.tif 000004
【図３】
0003109667.tif 000005
(57)【要約】【課題】  携帯電話や携帯式電子装置や掛け札などを掛けることができ、且つ首や手などに掛けることもでき、全体の外観が綺麗になるストラップを提供する。【解決手段】  ストラップは、チャックバンド１０、チェック頭２０および結合台３０を備えている。チャックバンド１０は、外周に樹脂線１２で囲まれる芯線１１が設けられ、チャック歯部が形成され、且つ少なくとも二つの縫い線１３が設けてあり、縫い線１３が、樹脂線１２に沿い芯線１１を貫通して固定されてチャック歯部の外周に露出している。チャック頭２０は、チャックバンド１０の両側にあるチャック歯部の間に設けられ、定位ロープ２１が別に設けられている。結合台３０は、チャックバンド１０の両端に固定され、チャックバンド１０を固定するための固定素子３１と嵌め素子３２とが設けられており、嵌め素子３２が、固定素子３１に嵌められて、ロープリング３３と連結している。【選択図】図１
0003109605.tif 000002
【実用新案登録請求の範囲】
【請求項１】
外周に樹脂線で囲まれる芯線が設けられてチャック歯部が形成され、かつ少なくとも二つの縫い線が設けてあり、前記縫い線が、樹脂線に沿い前記芯線を貫通して固定されて各チャック歯部の外周に露出するチャックバンドと、
前記チャックバンドの両側にあるチャック歯部の間に設けられて両側にあるチャック歯部が連結し定位され、且つ定位ロープが別に設けられているチャック頭と、
前記チャックバンドの両端に固定され、前記チャックバンドがリング状を呈する結合台と、
を備えることを特徴とするストラップ。
【請求項２】
前記結合台には前記チャックバンドを固定するための固定素子と嵌め素子とが設けられており、前記嵌め素子が前記固定素子に嵌められてロープリングと連結されていることを特徴とする請求項１に記載のストラップ。
【考案の詳細な説明】
【技術分野】
【０００１】
この考案はストラップに係り、特に携帯電話や携帯式電子装置や掛け札などを掛けられるストラップに関するものである。
【背景技術】
【０００２】
目下のストラップは、例えば首や手に掛けるためのストラップが環状ロープであり、前記環状ロープの一側には携帯電話と結合するための結合部が設けてあり、且つ前記環状ロープには環状ロープを８字形にするためのリングが設けてあり、前記リングの位置を調整すると、環状ロープの両側の寸法が変化でき、首に掛けるための適正な長さに調整することができる。
【０００３】
しかしながら、前記環状ロープの首を掛ける端の他端は依然として環状であるので、前記環状ロープが揺れるときには、前記他端がネクタイバサミなどのものに引っ掛けられるので、極めて面倒であり、且つ前記リングが緩み易いので、前記環状ロープに有効に固定することができなく、掛けられるものが脱落して損壊し易く、極めて不便である。また、従来のようなストラップの機能は単一であり、すなわち、携帯電話を掛けると、別に身分カードなどのものを掛けることができなくなるので、身分カードなどのものは別のロープを使用して首などに掛けることが必要なため、外観の綺麗さが落とし、また、使用が複雑になる。
【考案の開示】
【考案が解決しようとする課題】
【０００４】
この考案の主な目的は、携帯電話や携帯式電子装置や掛け札などを同時に掛けることができ、且つ首や手などに掛けることもでき、全体の外観が綺麗になるストラップを提供する。
【課題を解決するための手段】
【０００５】
上記目的を達成するためになされた本考案は、外周に樹脂線で囲まれる芯線が設けられてチャック歯部が形成され、かつ少なくとも二つの縫い線が設けてあり、前記縫い線が、樹脂線に沿い前記芯線を貫通して固定されて各チャック歯部の外周に露出するチャックバンドと、前記チャックバンドの両側にあるチャック歯部の間に設けられて両側にあるチャック歯部が連結し定位され、且つ定位ロープが別に設けられているチャック頭と、前記チャックバンドの両端に固定され、前記チャックバンドがリング状を呈する結合台と、を備えることを特徴とするストラップであることを要旨としている。
【０００６】
本考案では、前記結合台には前記チャックバンドを固定するための固定素子と嵌め素子とが設けられており、前記嵌め素子が前記固定素子に嵌められてロープリングと連結されていることを要旨としている。
【考案の効果】
【０００７】
この考案に係るストラップによれば、携帯電話や携帯式電子装置や掛け札などを同時に掛けることができ、首や手などに掛けることもでき、且つチャックバンドが一つになるので、別のものに引っ掛からなく、全体の外観が綺麗になる。
【考案を実施するための最良の形態】
【０００８】
以下、添付図面を参照して本考案の好適な実施の形態を詳細に説明する。
図１乃至図４を参照する。この考案の一実施例に係るストラップは、Ｕ字形を呈し、外周に樹脂線１２で囲まれる芯線１１が設けてあることにより、チャック歯部が形成され、且つ少なくとも二つの縫い線１３が設けてあり、前記縫い線１３が、樹脂線１２に沿い前記芯線１１を貫通して固定されることにより、各チャック歯部の外周に露出し、且つ前記芯線１１と樹脂線１２と各縫い線１３とは使用者の好みにより、顔色を漸進的に変化し又は蛍光剤などを添加することができるチャックバンド１０と、前記チャックバンド１０の両側にあるチャック歯部の間に設けられることにより、両側にあるチャック歯部が連結し定位され、且つ定位ロープ２１が別に設けてあるチャック頭２０と、前記チャックバンド１０の両端に固定され、且つ前記チャックバンド１０がリング状を呈し、且つ前記チャックバンド１０を固定するための固定素子３１と嵌め素子３２とが設けてあり、前記嵌め素子３２が、前記固定素子３１に嵌めてあり、且つロープリング３３と連結してある結合台３０と、を含む。
【０００９】
本実施例に係るストラップの使用は、図４に示すように、前記チャックバンド１０を使用者の首に掛けて、チャック頭２０を上へ引くことにより、チャック頭２０の下の前記チャックバンド１０が一つのバンドになるので、別のものに引っ掛かることがない。且つ携帯電話４０などを掛けるためのロープリング３３が設けてあり、携帯電話４０を使用しようとするときに、嵌め素子３２と携帯電話４０とを前記固定素子３１から離脱させると、使用者が携帯電話４０を使用することができる。そして、前記チャック頭２０に身分カード４１などを掛けるための定位ロープ２１が設けてあるので、一つのストラップには複数のものを同時に掛けることができる。
【図面の簡単な説明】
【００１０】
【図１】本考案の一実施例によるストラップを示す概略斜視図である。
【図２】本考案の一実施例によるストラップのチャックバンドを示す断面図である。
【図３】本考案の一実施例によるストラップのチャックバンドの一部を示す正面図である。
【図４】本考案の一実施例によるストラップのチャックバンドを示す概略図である。
【符号の説明】
【００１１】
１０  チャックバンド、１１  芯線、１２  樹脂線、１３  縫い線、２０  チャック頭、２１  定位ロープ、３０  結合台、３１  固定素子、３２  嵌め素子、３３  ロープリング、４０  携帯電話、４１  身分カード
【図１】
0003109605.tif 000003
【図２】
0003109605.tif 000004
【図３】
0003109605.tif 000005
【図４】
0003109605.tif 000006
(57)【要約】【課題】  油切れに優れると共に、安価で使い勝手の良い使い捨てタイプの揚げ物用油切りスタンドの提供。【解決手段】  折曲可能なアルミニウム薄板に適宜数の穴を形設した揚げ物用油切りスタンド。【選択図】  図１
0003109636.tif 000002
【実用新案登録請求の範囲】
【請求項１】
折曲可能なアルミニウム薄板に適宜数の穴を形設したことを特徴とする揚げ物用油切りスタンド。
【請求項２】
アルミニウム薄板が、方形状のアルミニウム薄板であり、かつその中央部に山折り線を有することを特徴とする請求項１記載の揚げ物用油切りスタンド。
【請求項３】
アルミニウム薄板が、その対向する一対の辺縁部のやや内方側に谷折り線を有することを特徴とする請求項２記載の揚げ物用油切りスタンド。
【請求項４】
中央部において山折り可能、かつ対向する一対の辺縁部のやや内方側において谷折り可能な方形状金網体から成ることを特徴とする揚げ物用油切りスタンド。
【考案の詳細な説明】
【技術分野】
【０００１】
本考案は揚げ物用油切りスタンドに関する。
【背景技術】
【０００２】
従来、天ぷらやフライ等の揚げ物食品の油揚げ直後の油切りは、一般に水平に設置した金属製格子板上に載置することによって行なわれている。
しかしながら、揚げ物を水平に寝かせて置いた場合、意外に油切れが悪く、特に素材がエビのように長いものほど「サクッ」とした食感が得られにくい、と云う問題があった。
また、従来の金属製格子板はかなり長期間使用に耐え得るもので、それなりに値段の張るものであったため、使い捨てには不向きなのが実状であった。
【考案の開示】
【考案が解決しようとする課題】
【０００３】
本考案は上記の如き従来の問題と実状に鑑みてなされたもので、油切れに優れると共に、安価で使い勝手の良い使い捨てタイプの揚げ物用油切りスタンドを提供することを課題とする。
【課題を解決するための手段】
【０００４】
本考案は、折曲可能なアルミニウム薄板に適宜数の穴を形設した揚げ物用油切りスタンドにより上記課題を解決したものである。
また、本考案は、中央部において山折り可能、かつ対向する一対の辺縁部のやや内方側において谷折り可能な方形状金網体から成る揚げ物用油切りスタンドにより上記課題を解決したものである。
【考案の効果】
【０００５】
本考案の揚げ物用油切りスタンドは、非使用時には平板体であるため、スペースを取らず保管性に優れる。一方、使用時には、アルミニウム薄板及び金網体が折曲可能なものであるため、三角屋根状に折り込むことで容易に立体的なスタンドを組み立てることができる。そしてこのスタンドに油揚げ直後の揚げ物を立てかけることにより、余分な油がアルミニウム薄板の穴から落下すると共に、非穴部のアルミニウム薄板を伝わり下位に誘導され、効率良く油切れするので、「サクッ」とした食感の揚げ物食品が得られる。
また、本考案の揚げ物用油切りスタンドは安価に製造することができるので、使い捨てタイプとして実用性に優れる。
【考案を実施するための最良の形態】
【０００６】
以下本考案の実施の形態を図面と共に説明する。
【０００７】
図１は本考案揚げ物用油切りスタンドの組み立て前の状態を示す平面説明図であり、図２は同スタンドの組み立て後の状態を示す斜視説明図である。
この図１において、１０はアルミニウム薄板で折曲可能な厚さから成る。アルミニウム薄板１０の形状としては、長方形や正方形の方形が望ましい。このアルミニウム薄板１０には、穴１１が多数形設されている。穴１１の具体的形状は角形、円形、楕円形等その如何を問わない。また穴１１の具体的大きさや個数は、揚げ物の種類（大きさ）に応じて適宜選定される。
【０００８】
１２は山折り線で、アルミニウム薄板１０の中央部に表示されている。この山折り線１２に沿い、アルミニウム薄板１０を山折りすることにより、図２に示すように三角屋根状の立体的なスタンドとなる。
【０００９】
１３は谷折り線で、アルミニウム薄板１０の対向する一対の辺縁部１０ａ，１０ｂのやや内方側に表示されている。この谷折り線１３に沿い、アルミニウム薄板１０を谷折りすることにより、図２に示すように脚片１４が形成され、立体的なスタンドがより安定した状態に保持される。
【図面の簡単な説明】
【００１０】
【図１】本考案揚げ物用油切りスタンドの組み立て前の状態を示す平面説明図。
【図２】本考案揚げ物用油切りスタンドの組み立て後の状態を示す斜視説明図。
【符号の説明】
【００１１】
１０：アルミニウム薄板
１０ａ：辺縁部
１０ｂ：辺縁部
１１：穴
１２：山折り線
１３：谷折り線
１４：脚片
【図１】
0003109636.tif 000003
【図２】
0003109636.tif 000004
(57)【要約】【課題】  自動車のステップを汚れや傷から保護する。【解決手段】  保護シート１をドア下方のステップ４上に貼ることにより、ステップ４を汚れや傷から保護すると共に、文字により試乗者等の意識を喚起することができる。【選択図】        図１
0003109617.tif 000002
【実用新案登録請求の範囲】
【請求項１】
透明又は有色の合成樹脂製のシート材から成り、自動車ボディのドア下方に位置するステップ上に貼付して、該ステップを保護することを特徴とする自動車用保護シート。
【請求項２】
裏面に粘着剤を塗布し、離型紙を貼り付けたことを特徴とする請求項１に記載の自動車用保護シート。
【請求項３】
表面に文字又は図形を描いたことを特徴とする請求項１に記載の自動車用保護シート。
【考案の詳細な説明】
【技術分野】
【０００１】
本考案は、自動車ボディのドア下方に位置するステップを、汚れや傷から保護するための自動車用保護シートに関するものである。
【背景技術】
【０００２】
従来から、乗用車やトラックのメーカーや販売店においては、見学者が試乗する際に生ずる座席シートや床のフロアマットの汚れや傷を、ビニールシートや紙を敷いて保護しており、購入後に購入者がこれらのビニールシートや紙を取り外している。
【考案の開示】
【考案が解決しようとする課題】
【０００３】
しかしながら、ドア下方のステップは、金属メッキが施されている場合も多く、人が乗り降りする際に靴等により踏み付けられ易い個所にも拘らず、汚れや傷防止の対策は何もなされていないことが多い。
【０００４】
本考案の目的は、上述の課題を解決し、ドア下方のステップを汚れや傷から保護するための自動車用保護シートを提供することにある。
【課題を解決するための手段】
【０００５】
上記目的を達成するための本考案に係る自動車用保護シートの技術的特徴は、透明又は有色の合成樹脂製のシート材から成り、自動車ボディのドア下方に位置するステップ上に貼付して、該ステップを保護することにある。
【考案の効果】
【０００６】
本考案に係る自動車用保護シートによれば、ステップ上に貼付することにより、汚れや傷の発生を防止できる。
【考案を実施するための最良の形態】
【０００７】
本考案を図示の実施の形態に基づいて詳細に説明する。
図１は保護シート１を自動車２のドア３の下方の矩形状のステップ４上に貼り付けた状態の斜視図である。保護シート１は比較的厚めのビニール等の透明な合成樹脂シート材から成り、裏面に粘着剤が塗布され、更に離型紙５を貼り付けた長片状であり、図２に示すように保護シート１の表面には、文字６が書かれている。
【０００８】
また、この保護シート１は使用する乗用車、トラック等、或いは乗用車であっても車種によって、幾つかの形状、大きさのものを準備しておくことが好ましい。
【０００９】
使用に際しては、保護シート１を離型紙５から剥がし、粘着剤によりステップ４上の凹凸に沿って貼り付けることにより、ステップ４を覆い、汚れや傷が発生することを防止できる。
【００１０】
保護シート１の厚みは靴で踏み付けても破れない程度とすることが好ましいが、ステップ４上に貼ってもドアの開閉には何らの支障にもならない。
【００１１】
また、文字６は例えば「キズ汚れ等の防止用シートです」と書くことにより、試乗者等にこの保護シート１の役割を明確に表示し、意識的に乗り降りの際に、ステップ４を靴で踏み付けないようにする役割も果たしている。
【００１２】
更に、保護シート１上には文字６以外に、商品名、会社名、宣伝文句、図形等を描いてもよい。
【００１３】
保護シート１の役割が済めばステップ４から剥がせばよいが、保護のため貼ったまま使ってもよい。また、粘着剤を使用して貼付してあるので、安易に剥離することができる。
【００１４】
本実施例における保護シート１は透明な合成樹脂シート材を用いたが、更に試乗者の注意を引きつけるために、有色の合成樹脂シート材を用いてもよい。
【図面の簡単な説明】
【００１５】
【図１】ステップ上に自動車用保護シートを貼った状態の斜視図である。
【図２】自動車用保護シートの平面図である。
【符号の説明】
【００１６】
１  保護シート
２  自動車
３  ドア
４  ステップ
５  離型紙
６  文字
【図１】
0003109617.tif 000003
【図２】
0003109617.tif 000004
(57)【要約】【課題】  共振式インバータの変圧器の提供。【解決手段】  導磁物質を一次、二次コイル間に充填し、一部の一次コイル磁力線を強制的に二次コイルに交叉しないようにし、リークインダクタンス調整を達成する。本考案は既存の鉄心及びボビンを更新する必要のない情況で、既存の設計構造のリークインダクタンス掌握制御上の難題を克服し、加工時間を減らし、高効率を提供し、並びに製造コストを節約できる。【選択図】        図３
0003109650.tif 000002
【実用新案登録請求の範囲】
【請求項１】
フレーム、鉄心、及び導磁物質を具え、該フレームの一端のボビンが銅線の巻き付けに供され、フレームの左右両端にそれぞれ端子がある共振式インバータの変圧器において、  導磁物質が一次、二次コイルの間に充填されることにより、強制的に一部の一次コイルの磁力線が二次コイルに交叉しないものとされてリークインダクタンス調整が達成されることを特徴とする、共振式インバータの変圧器。
【考案の詳細な説明】
【技術分野】
【０００１】
本考案は一種の共振式インバータの変圧器に係り、特に共振式バックライト回路に用いられる変圧器であって、導磁物質を一次、二次コイル間に充填して一部の一次コイル磁力線を二次コイルに交叉させないようにし、リークインダクタンス調整の目的を達成する、共振式インバータの変圧器に関する。
【背景技術】
【０００２】
伝統的な共振式バックライト回路用変圧器リークインダクタンスは、一次、二次コイルＰ、Ｓの距離Ｄを調整する（図１の如し）ことにより、交叉係数を調整し、これによりリークインダクタンス値を調整する。リークインダクタンス値要求が高い場合は、更に巻数を増すことで目的を達成するが、製造コストを増し使用上も安全でなく、関係製造価格が高くなる。
【０００３】
伝統的なバックライトモジュール出力変圧器の欠点は以下のような欠点がある。
１．上述の構造により規格化不能で、生産が困難である。
２．上述の原因により、一次、二次コイルの距離が大きくなり、二次コイルの巻き付け可能箇所が減少し、巻数が増加し、線径が減らされることになる。
３．二次コイルの巻き付け部分が減り、層間絶縁が悪くなり、焼損しやすくなる。
４．線径が減り、変圧器温度が高くなり、二次コイル線径が髪の毛より細くなり、操作使用が困難となり、線が極めて切断されやすくなる。
【０００４】
ディスプレイ技術の急速な進歩により、液晶ディスプレイモニタはその厚さが減らされ、占有空間が減り、且つ画質が安定しちらつきがなくなり、このため徐々に伝統的なＣＲＴモニタに代わり採用されるようになった。液晶ディスプレイモニタ中にはバックライトモジュールが設けられ、それは高圧駆動の冷陰極ランプをバックライトシステムの光源として表示を行なう。このような冷陰極ランプは一般にインバータにより駆動され、それには駆動回路が設けられているほか、高圧変圧器を具え、また現在、インバータのサイズはますます縮小され、且つ効率はますます高くなっており、出力変圧器は高く且つ正確なリークインダクタンス値を必要とする。
【考案の開示】
【考案が解決しようとする課題】
【０００５】
本考案の主要な目的は、一種の共振式インバータの変圧器を提供することにあり、それは、バックライトモジュール出力変圧器にあって、同時物質を一次、二次コイル間に充填し、強制的に一次コイル磁力線の一部を二次コイルに交叉しないようにしてリークインダクタンス調整の目的を達成し、伝統的なバックライトモジュール出力変圧器の欠点を大幅に改善できるものとする。
【０００６】
本考案のもう一つの目的は、一種の共振式インバータの変圧器を提供することにあり、それは、実際の電気回路応用にあって、各種の高周波共振式インバータのパワー出力回路、各種の冷陰極管インバータの出力回路等にも適用可能であるものとする。
【課題を解決するための手段】
【０００７】
請求項１の考案は、フレーム、鉄心、及び導磁物質を具え、該フレームの一端のボビンが銅線の巻き付けに供され、フレームの左右両端にそれぞれ端子がある共振式インバータの変圧器において、
導磁物質が一次、二次コイルの間に充填されることにより、強制的に一部の一次コイルの磁力線が二次コイルに交叉しないものとされてリークインダクタンス調整が達成されることを特徴とする、共振式インバータの変圧器としている。
【考案の効果】
【０００８】
本考案の共振式インバータの変圧器は、導磁物質が一次、二次コイル間に充填され、一部の一次コイル磁力線が強制的に二次コイルに交叉しないものとされ、これによりリークインダクタンス調整を達成する。本考案の実用効果は明らかであり、且つその構造はその出願前に未公開であり、実用新案登録の要件を具備している。
【考案を実施するための最良の形態】
【０００９】
図２から図４に示されるように、本考案は、フレーム１００、鉄心２００、及び導磁物質３００を具え、そのうちフレーム１００の一端のボビン１０１は銅線の巻き付けに供され、フレーム１００の左右両端にそれぞれ端子１０２がある。本考案の特徴は以下のとおりである。
【００１０】
共振式バックライト回路用変圧器は導磁物質３００が一次、二次コイルＰ、Ｓの間に充填（図２）されることにより、強制的に一部の一次コイルＰの磁力線が二次コイルＳに交叉せず、これによりリークインダクタンス調整の目的が達成される（リーク磁力線方向は図２のとおり。）。本考案は伝統的なバックライトモジュール出力変圧器の欠点をこれにより大量に改善できる。
【００１１】
本考案において充填される導磁物質３００は、そのうちの一つだけに使用可能で、また異なる材質を使用することもでき、これらは必要に応じて決定される。
【００１２】
本考案において充填される導磁物質３００は、外部より加えることが可能で、これにより既存の鉄心２００及びボビン１０１はいずれも変更不要であり、また鉄心２００を更新することもでき、加工時間を減らすことができる。
【図面の簡単な説明】
【００１３】
【図１】周知のインバータの変圧器の一次、二次コイルの磁力線分解図である。
【図２】本考案のインバータに用いられる変圧器の磁力線分解図である。
【図３】本考案の実施例図である。
【図４】本考案の別の実施例図である。
【符号の説明】
【００１４】
１００  フレーム      １０１  ボビン
１０２  端子          ２００  鉄心
３００  導磁物質      Ｐ  一次コイル
Ｓ  二次コイル        Ｄ  距離
【図１】
0003109650.tif 000003
【図２】
0003109650.tif 000004
【図３】
0003109650.tif 000005
【図４】
0003109650.tif 000006
(57)【要約】【課題】その目的は登記識別情報通知書等の公的書類を効率よく分類して整理する作業が極めて容易となる書類整理用台紙を提供することにある。【解決手段】基材シートの周囲を貼り合わせるとともに、この基材シートに上向き円弧状の切り込みを形成し、さらに円弧状の切り込みから所定の深さの位置に受け止め部を接着し、前記円弧状の切り込みから登記識別情報通知書等の公的書類を収納して、前記受け止め部で公的書類を受け止めるようにしたことを特徴とする書類整理用台紙。【選択図】  図３
0003109626.tif 000002
【実用新案登録請求の範囲】
【請求項１】
基材シートの周囲を貼り合わせるとともに、この基材シートに上向き円弧状の切り込みを形成し、さらに円弧状の切り込みから所定の深さの位置に受け止め部を接着し、前記円弧状の切り込みから登記識別情報通知書等の公的書類を収納して、前記受け止め部で公的書類を受け止めるようにしたことを特徴とする書類整理用台紙。
【請求項２】
上向き円弧状の切り込みと受け止め部とからなるユニットが所定の間隔で複数ユニット連設されていることを特徴とする請求項１に記載の書類整理用台紙。
【考案の詳細な説明】
【技術分野】
【０００１】
この考案は書類整理用台紙に係り、さらに詳しくは、登記識別情報通知書等の公的書類を分類して整理するのに好適な書類整理用台紙に関する。
【背景技術】
【０００２】
従来から名刺等のカード類の整理、保存に適した綴じ込み可能な台紙が知られている。この種の台紙としては、例えば、実公平３−４７９０２号公報（特許文献１参照）等に示されるように、基シートの面に透明なフィルムを重合し、所定箇所に切り込み部と溶着部を設けることによってカード類を収納することのできるポケットを備えたものが存在する。
【特許文献１】実公平３−４７９０２号公報
【考案の開示】
【考案が解決しようとする課題】
【０００３】
しかしながら、実公平３−４７９０２号公報（特許文献１参照）に示されたカード類を収納することのできるポケットは透明フィルムからなるものであり、所定箇所に切り込み部と溶着部を設けたものであるため、製作に手間がかかりコストが高いという不都合があった。また従来構造では、カード類の出し入れを注意深く行わないと、カード類がポケットの出し入れ口を形成する切り込み部の端に引っ掛かる場合が多く、これによって、ポケットが切り込み部の端から破断するという不都合もあった。
【０００４】
この考案は、かかる従来例の不都合を改善するために案出されたものであり、その目的は登記識別情報通知書等の公的書類を効率よく分類して整理する作業が極めて容易となる書類整理用台紙を提供することにある。
【課題を解決するための手段】
【０００５】
前記目的を達成するためこの考案の書類整理用台紙は、基材シートの周囲を貼り合わせるとともに、この基材シートに上向き円弧状の切り込みを形成し、さらに円弧状の切り込みから所定の深さの位置に受け止め部を接着し、前記円弧状の切り込みから登記識別情報通知書等の公的書類を収納して、前記受け止め部で公的書類を受け止めるようにしたことを特徴とするものである。
【０００６】
この考案の書類整理用台紙は、上記上向き円弧状の切り込みと受け止め部とからなるユニットが所定の間隔で複数ユニット連設されていることをも特徴とするものである。
【考案の効果】
【０００７】
この構成においては、構造が簡単なので低コストで製作することができる。
また従来構造では、書類等の出し入れを注意深く行わないと、書類等がポケットの出し入れ口を形成する切り込み部の端に引っ掛かる場合が多く、これによって、ポケットが切り込み部の端から破断するという不都合があった。
【０００８】
しかしながらこの考案においてはかかる従来例の不都合がなく、登記識別情報通知書等の公的書類を効率よく分類して整理する作業が極めて容易となる書類整理用台紙を提供することができるようになった。
【考案を実施するための最良の形態】
【０００９】
以下、この考案に係る書類整理用台紙の実施の形態を、図面を参照しながら詳細に説明する。
図１は書類整理用台紙の１実施例を示す展開状態の正面図、図２はその断面図、図３は使用状態を示す展開状態の正面図である。
【００１０】
図１および図２において、書類整理用台紙１０は樹脂若しくは紙によってたわむことができる程度の長方形の基材シート１１からなっている。
そして、この基材シート１１を両側端部から中央に向けてそれぞれ二つ折りとし、それを中央で折り畳んで最終的に４つ折りにすることができるようになっている。
【００１１】
なお、基材シート１１を両側端部から中央に向けてそれぞれ二つ折りとした状態で、重ね合わせた周囲を貼り合わせるとともに、基材シート１１の内側の少なくとも片面に上向き円弧状の切り込み１２を形成し、さらにこの円弧状の切り込み１２から所定の深さの位置に受け止め部１３を接着したものである。
また、上記上向き円弧状の切り込み１２と受け止め部１３とからなるユニットが所定の間隔で複数ユニット連設されている。
【００１２】
上記書類整理用台紙１０の使用に際しては、図３に示すように、円弧状の切り込み１２から登記識別情報通知書等の公的書類２１をはめ込み、そのまま押し込んで前記受け止め部１３で公的書類２１を受け止めるものである。
【００１３】
基材シート１１の外側の少なくとも片面、および内側の上記円弧状の切り込み１２を設けた片面の反対面には適宜表題部１４や見出し部１５を貼付あるいは印刷等によって形成することができる。
【００１４】
上記基材シート１１を両側端部から中央に向けてそれぞれ二つ折りとした状態で、重ね合わせた周囲を貼り合わせる手段としては、接着剤や両面粘着テープ、ヒートシール等の適宜手段を採用することが可能である。
また、上記受け止め部１３を接着する手段としても、接着剤や両面粘着テープ、ヒートシール等の適宜手段を採用することが可能である。
【００１５】
上記円弧状の切り込み１２の円弧の半径は、登記識別情報通知書等の公的書類２１のサイズに応じて適宜決定することが必要である。
すなわち、公的書類２１の両側端面を所定の深さで収納するとともに、公的書類２１の中央部分においては公的書類２１の挿入をガイドするとともに、公的書類２１を所定の高さ位置において保持するという機能を備えていることが求められる。
もちろん、上記上向き円弧状の切り込み１２と受け止め部１３とからなるユニットを所定の間隔で複数ユニット連設するという要請をも満たすことが望ましい。
【産業上の利用可能性】
【００１６】
この考案の書類整理用台紙は、登記識別情報通知書等の公的書類を分類して整理するのに好適であることはもちろん、他の書類やカード、写真等を収納するために使用することができる。
【図面の簡単な説明】
【００１７】
【図１】書類整理用台紙の１実施例を示す展開状態の正面図である。
【図２】その断面図である。
【図３】使用状態を示す展開状態の正面図である。
【符号の説明】
【００１８】
１０  書類整理用台紙
１１  基材シート
１２  円弧状の切り込み
１３  受け止め部
１４  表題部
１５  見出し部
２１  公的書類
【図１】
0003109626.tif 000003
【図２】
0003109626.tif 000004
【図３】
0003109626.tif 000005